(57)【要約】  台車付き担架に取り付けられたストレッチャーの電気作動式の昇降を提供するように適合された電気作動式車輪付きストレッチャーシステム。このシステムは、ストレッチャー及び台車付き担架から主に構成され、患者を搬送するために使用可能であり、台車付き担架から他の医療機器、例えば高圧室へのストレッチャーの自動化された移動によって、及び他の医療機器から台車付き担架への戻る自動化された移動によって、患者を載せたり降ろしたりするために使用可能である。このシステムは、その適所でのより円滑な転回及び回転を提供するように構成された追加の電気作動式の第５の車輪をさらに含む。このシステムは、システムと一緒に移動する静脈流体及び医療ガスなどの連続治療アイテムをさらに含む。
2020512896.tif 000002
【特許請求の範囲】
【請求項１】
電気作動式車輪付きストレッチャーシステムであって、
台車付き担架シャーシと、
前記台車付き担架シャーシ及びストレッチャー支持フレームに取り付けられた電気昇降システムであって、
前記台車付き担架シャーシと前記ストレッチャー支持フレームとの間に延在する少なくとも１つの電気作動式伸縮支柱と、
前記電気作動式車輪付きストレッチャーシステムに取り付けられ且つ前記少なくとも１つの電気作動式支柱に接続されたハンドセットと、
前記台車付き担架シャーシに取り付けられ且つ前記少なくとも１つの電気作動式伸縮支柱に接続された少なくとも１つのフットスイッチと
を含む電気昇降システムと、
ストレッチャーが取り外し可能に取り付けられたストレッチャー支持フレームであって、前記電気昇降システムに取り付けられたストレッチャー支持フレームと、
前記電気昇降システムに接続されたバッテリと
を備え、
前記電気昇降システムが、ユーザのハンドセット又は少なくとも１つのフットスイッチの操作に基づいて、前記電気作動式車輪付きストレッチャーシステムを上昇位置と下降位置の間で、及びその間の任意の位置に移動させる、
電気作動式車輪付きストレッチャーシステム。
【請求項２】
少なくとも２つの押しハンドルをさらに備える、請求項１に記載の電気作動式車輪付きストレッチャーシステム。
【請求項３】
前記少なくとも２つの押しハンドルが作動位置から格納位置へ移動する、請求項２に記載の電気作動式車輪付きストレッチャーシステム。
【請求項４】
前記ハンドセットがメモリ機能用のボタンをさらに含む、請求項１に記載の電気作動式車輪付きストレッチャーシステム。
【請求項５】
前記メモリ機能が、前記電気作動式車輪付きストレッチャーシステムを、前記電気作動式車輪付きストレッチャーシステムのメモリに記憶された高さに戻す、請求項５に記載の電気作動式車輪付きストレッチャーシステム。
【請求項６】
前記高さが、前記ボタンを所定の時間押すことによってメモリに記憶される、請求項５に記載の電気作動式車輪付きストレッチャーシステム。
【請求項７】
前記台車付き担架シャーシに取り付けられた複数のキャスターの移動を防止する電気作動式ブレーキをさらに備える、請求項１に記載の電気作動式車輪付きストレッチャーシステム。
【請求項８】
前記電気作動式ブレーキが、該電気作動式ブレーキと電気的に連通するハンドセット上のボタンによって操作可能である、請求項７に記載の電気作動式車輪付きストレッチャーシステム。
【請求項９】
前記電気作動式ブレーキが、前記複数のキャスターのうちの１つのプレートに圧力を加えることによって操作可能である、請求項７に記載の電気作動式車輪付きストレッチャーシステム。
【請求項１０】
前記台車付き担架シャーシ上にキャスターをさらに備え、前記キャスターはそれぞれブレーキを含む、請求項１に記載の電気作動式車輪付きストレッチャーシステム。
【請求項１１】
前記ブレーキのそれぞれが手動で操作可能である、請求項１０に記載の電気作動式車輪付きストレッチャーシステム。
【請求項１２】
電気作動式の第５の車輪をさらに備える、請求項１に記載の電気作動式車輪付きストレッチャーシステム。
【請求項１３】
前記電気作動式の第５の車輪は前記ハンドセットを用いて上下させることができる、請求項１２に記載の電気作動式車輪付きストレッチャーシステム。
【請求項１４】
バッテリモニタをさらに備える、請求項１に記載の電気作動式車輪付きストレッチャーシステム。
【請求項１５】
前記バッテリモニタが複数のＬＥＤライトを含む、請求項１４に記載の電気作動式車輪付きストレッチャーシステム。
【請求項１６】
前記ストレッチャーが、前記ストレッチャー支持フレームに取り付けられた一対の対応する管状バーに沿って移動する複数の車輪を含む、請求項１に記載の電気作動式車輪付きストレッチャーシステム。
【請求項１７】
係合位置にあるとき、前記ストレッチャーを前記ストレッチャー支持フレームにロックするストレッチャー解放ラッチをさらに備える、請求項１に記載の電気作動式車輪付きストレッチャーシステム。
【請求項１８】
前記ストレッチャーの舌部を、前記台車付き担架に取り付けられた少なくとも１つのフランジにさらにロックするピンをさらに備える、請求項１８に記載の電気作動式車輪付きストレッチャーシステム。
【請求項１９】
前記ストレッチャーを前記ストレッチャー支持フレームに取り付ける又は取り外す駆動システムをさらに備える、請求項１に記載の電気作動式車輪付きストレッチャーシステム。
【請求項２０】
電気作動式台車付き担架システムを製造する方法であって、
台車付き担架シャーシを提供すること、
少なくとも１つの電気作動式支柱を前記台車付き担架シャーシに取り付けること、
ストレッチャー支持フレームを前記少なくとも１つの電気作動式支柱に取り付けること、
ストレッチャーを前記ストレッチャー支持フレームに取り外し可能に取り付けること、及び
前記少なくとも１つの電気作動式支柱と電気的に連通するバッテリを提供すること、
を含み、
前記少なくとも１つの電気作動式支柱は、前記電気作動式台車付き担架システムのコントロールを操作することによりユーザによって上下される
方法。
【発明の詳細な説明】
【技術分野】
【０００１】
本開示は、一般に、車輪付きの病院の台車付き担架（ｇｕｒｎｅｙ）／ストレッチャーシステムに関し、より詳細には、ストレッチャー部分を台車付き担架から様々な他の場所に移動させることを可能にする電動高さ調整機構を備えたモジュール式の車輪付きの台車付き担架／ストレッチャーシステムに関する。
【背景技術】
【０００２】
関連技術の記載
台車付き担架は、様々な理由で患者を移動させるために病院で広く使用されている。例えば、患者を一般室から手術室に移動しなければならない場合がある。患者は、自分の部屋から様々な治療場所に移動しなければならない場合もある。そのような治療場所の１つは高圧室であり得る。高圧室は、スキューバダイバーがあまりにも速く上昇することによって引き起こされ得る状態である、一般に潜水病として知られている減圧症の治療においてよく知られている。潜水病になると、圧力の変化により溶存ガスが溶液から出て、血流中に気泡が形成される。高圧室は、重篤な感染症、血管内の空気の泡、火傷、及び糖尿病又は放射線障害の結果として治癒しない創傷の治療にも有用である。
【０００３】
現在の台車付き担架は高さ調整可能である。しかしながら、最新技術では、高さ調整は空気圧又は油圧手段によって行われ、最も一般的なのは、何らかのタイプの機械的手段によって作動される油圧シリンダである。アクチュエータは大抵フットポンプである。これにより、システムが上昇すると、台車付き担架及び取り付けられたストレッチャーが跳ね返る可能性がある。
【０００４】
さらに、現在の台車付き担架はキャスターを有するが、力がかかると過剰に反応し、台車付き担架を左右にオーバーステアさせる傾向がある。患者を移送するとき、これは、例えば、台車付き担架が高圧室の壁に接触したときに患者を揺らす可能性がある。多くの患者、例えば火傷を負った犠牲者、及び治癒しない傷を負った患者は、そのような揺れや衝撃に敏感である。実際、ごくわずかな揺れや衝撃を少しでも超えると、そのような患者の痛みを引き起こす可能性がある。
【発明の概要】
【発明が解決しようとする課題】
【０００５】
本発明の目的は上記した問題を解決することができるストレッチャーシステムを提供することにある。
【課題を解決するための手段】
【０００６】
本開示によれば、ストレッチャーの高さのスムーズな調整を提供するように適合され得る電気作動式車輪付きストレッチャーシステムが提供され得る。より詳細には、本開示のストレッチャーシステムは、台車付き担架シャーシ、台車付き担架シャーシの上に取り付けられたストレッチャー支持フレーム、及びストレッチャー支持フレーム上のストレッチャーから主に構成され得る。電気昇降システムを使用して、１つ又は複数の電気作動式伸縮支柱を上下させることができる。電気昇降システムは、台車付き担架シャーシ及びストレッチャー支持フレームに取り付けられ得る１つ又は複数の電気作動式伸縮支柱を含み得る。電気昇降システムは、ストレッチャーシステムに取り付けられ且つ少なくとも１つの電気作動式支柱に接続され得るハンドセットをさらに含み得る。充電式バッテリを電気昇降システムに接続することができる。電気昇降システムは、ユーザのハンドセット操作に基づいて、電気作動式車輪付きストレッチャーシステムを上昇位置と下降位置の間で、及びその間の任意の位置に移動し得る。
【０００７】
電気作動式台車付き担架システムの製造方法も開示されている。この方法は、台車付き担架シャーシを提供すること、及び少なくとも１つの電気作動式支柱を台車付き担架シャーシに取り付けることを含み得る。この方法は、ストレッチャー支持フレームを少なくとも１つの電気作動式支柱に取り付けることをさらに含み得る。この方法はまた、少なくとも１つの電気作動式支柱と電気的に連通するバッテリを提供することを含み得る。少なくとも１つの電気作動式支柱は、台車付き担架システムのコントロールを操作することにより、ユーザによって上下される。
【０００８】
本明細書に開示される様々な実施形態のこれらの及び他の特徴及び利点は、以下の説明及び図面に関してより深く理解されるであろう。図面中、同様の番号は全体を通して同様の部品を指す。
【図面の簡単な説明】
【０００９】
【図１】台車付き担架システムの斜視図を示す。
【図２】台車付き担架システムの側面図を示す。
【図３】台車付き担架シャーシ、電気作動式伸縮支柱、及びストレッチャー支持フレームの分解図を示す。
【図４】図２の側面図から９０度回転した台車付き担架システムの側面図を示す。
【図５】ストレッチャー支持フレームのバッテリ及び電気室の分解詳細図を示す。
【図６】台車付き担架システムの配線及び電気構成要素の概略図を示す。
【図７】台車付き担架システムの別の斜視図を示す。
【図８】図７に示される側の反対側からの台車付き担架システムの斜視図を示す。
【図９】ハンドセットの上面図を示す。
【発明を実施するための形態】
【００１０】
添付の図面に関連して以下に記載する詳細な記載は、充電装置の現在の好ましい実施形態の記載として意図されており、それを開発又は利用できる唯一の形態を表すことを意図していない。本記載は、図示された実施形態に関連してアダプタを開発及び操作するための機能を記載する。しかしながら、同じ又は同等の機能が、本開示の範囲内に包含されることを同じく意図される異なる実施形態によって達成され得ることを理解されたい。さらに、第１、第２、先端、基端等などの関係用語の使用は、もっぱらある実体を別の実体と区別するために使用され、そのような実体間の実際のそのような関係又は順序を必ずしも要求も暗示もしないことを理解されたい。
【００１１】
図１及び２は、台車付き担架システム１００の態様を示している。構造的に、このシステムは、台車付き担架シャーシ１１０と、下端で台車付き担架シャーシ１１０に取り付けられた２つの電気作動式伸縮支柱１２０と、２つの電気作動式伸縮支柱１２０の上端に取り付けられたストレッチャー支持フレーム１３０と、ストレッチャー支持フレーム１３０の上面に載せられた調整可能なヘッドレスト１３４を備えたストレッチャー１３２とを含む。台車付き担架シャーシ１１０に取り付けられるのはキャスター１１２であり、中央に取り付けられるのは第５の車輪１１４である。ストレッチャー支持フレーム１３０に取り付けられるのは、押しハンドル１３４、ノブ１３６、及びローラ８０である。サイドレール１３８が、ストレッチャー１３２の両側でストレッチャー支持フレーム１３０に取り付けられる。台車付き担架システム１００は、ＩＶポール１１６及び医療ガスホルダ１１８をさらに含む。本明細書では、２つの電気作動式伸縮支柱１２０を備えた台車付き担架／ストレッチャーシステム１００について記載するが、１つ又は３つ以上の電気作動式伸縮支柱１２０を備えた台車付き担架／ストレッチャーシステム１００が考えられる。同様に考えられるのは、作動式支柱と支持体、又は非作動式支柱の組み合わせを備えた台車付き担架／ストレッチャーシステム１００である。
【００１２】
電気作動式伸縮支柱１２０は、台車付き担架シャーシ１１０又はストレッチャー支持フレーム１３０にボルト締め又は溶接される。例えば、電気作動式伸縮支柱１２０は、台車付き担架シャーシ１１０に溶接されてストレッチャー支持フレーム１３０にボルト締めされてもよく、その逆もまた同様である。別の例として、台車付き担架シャーシ１１０及びストレッチャー支持フレーム１３０との接続部の両方が溶接されてもよく、又は図３に示すように両方がボルト締めされてもよい。
【００１３】
システム１００は、台車付き担架シャーシ１１０に取り付けられた複数のキャスター１１２によって移動可能にすることができる。キャスター１１２は、台車付き担架システム１００が短い半径で転回できるようにするために、垂直軸上で３６０度回転することができる。台車付き担架システム１００が停止すると、患者を載せたり降ろしたりするために追加の安定性が必要になる場合がある。この目的のために、複数のキャスター１１２のそれぞれは、電気作動式ブレーキ１１５を含んでいてもよい。電気作動式ブレーキ１１５は、機械式継手（図示せず）、例えばギア又はストッパを備えた電気リニアアクチュエータを使用して、キャスターハウジング１０６の内部の対応する機械的継手と係合することができる。対応する機械的継手は係合すると、複数のキャスター１１２が回るのを防ぎ、複数のキャスター１１２を所定の位置に効果的にロックすることができる。
【００１４】
追加的に又は代替的に、複数のキャスター１１２のそれぞれは、ブレーキ１１５の手動作動を含んでいてもよい。手動作動は、複数のキャスター１１２のそれぞれにペダル１１７を含み、複数のキャスター１１２のそれぞれはユーザがペダル１１７を踏むことによって作動される。ペダル１１７は、解放位置から係合位置に移動することができる。解放位置において、ブレーキ１１５は、その一部であるキャスター１１２が自由に回ることを可能にする。台車付き担架システム１００に依然電力が供給されている場合、１つのブレーキ１１５を手動で作動させると、他の３つのブレーキ１１５を電子的に作動させることができる。
【００１５】
係合位置に移動すると、ブレーキ１１５は、キャスター１１２が転動するのを防止する、又はキャスター１１２がキャスターの垂直軸の周りを回転するのを防止する。したがって、台車付き担架システム１００を実質的に動かないようにすることができ、そして患者（図示せず）を乗せたり降ろしたりすることができ、その際、患者はすでにストレッチャー１３２に乗っている、又はすでに台車付き担架システム１００に乗っているストレッチャー１３２に患者を乗せる。
【００１６】
図４及び５で最もよく見ることができるように、台車付き担架システム１００は、一対の押しハンドル１３４を含む。押しハンドル１３４は、ストレッチャー支持フレーム１３０の一端の対向する角に配置することができる。押しハンドルは、一端近くに屈曲部がある長尺状の円筒体から形成することができる。長尺状の円筒体の断面は、円周を画定し得る。屈曲部を有する端部の反対側の端部の近くで、押しハンドル１３４は、長尺状の円筒体の壁に２つの長手方向スロット１４５を含むことができる。長手方向スロット１４５は、円周の反対側の地点にあってもよい。押しハンドル１３４は、作動位置と格納位置を有してもよく、２つの位置の間で移動されてもよい。格納位置から、押しハンドル１３４を、ストレッチャー支持フレーム１３０に最も近い押しハンドル１３４の端部のピボット点アクスル１４０の周りで回転させることができる。ピボット点アクスル１４０は、ナット及びボルトなど、単純な機械的コネクタによって形成することができる。押しハンドル１３４は、押しハンドルベース１４４に接続されてもよい。ピボット点アクスル１４０は、押しハンドルベース１４４の円周の両側の穴１４２を通過してもよい。ピボット点アクスル１４０は、押しハンドル１３４を押しハンドルベース１４４にさらに接続してもよい。押しハンドルベース１４４は、ベース１４４の円筒壁１５０の一部分に沿って切り欠き１４８を含むことができ、これにより押しハンドル１３４は格納位置まで回転することが可能になる。あるいは、台車付き担架システム１００は、一対を超える押しハンドル１３４を有してもよい。例えば、全ての角に合計４つの押しハンドルがあってもよいが、任意の数の押しハンドルが考えられる。
【００１７】
格納位置から、押しハンドル１３４は、押しハンドル１３４が実質的に垂直になるまでピボット点アクスル１４０の周りで回転させ、次に垂直に下方向に平行移動させることができ、この際、ピボット点アクスル１４０は長手方向スロット１４５を通って移動する。垂直平行移動の終了時、押しハンドル１３４は作動位置にあり、また押しハンドル１３４は、押しハンドルベース１４４の円筒壁１５０が、押しハンドル１３４がピボット点アクスル１４０の周りを回転するのを防止するように、押しハンドルベース１４４に置かれる。作動位置から、押しハンドル１３４を垂直に上方に平行移動させることができ、その結果、ピボット点アクスル１４０は長手方向スロット１４５を反対方向に通過し、次に押しハンドル１３４はピボット点アクスル１４０の周りを回転して格納位置に戻る。
【００１８】
台車付き担架システム１００は、押しハンドル１３４の反対側のストレッチャー支持フレーム１３０の各角にノブ１３６をさらに含むことができる。ノブ１３６により、ユーザは、別の他の機器（図示せず）又は患者降ろし地点（図示せず）に最も近い台車付き担架システム１００の端部を操作することにより、台車付き担架システム１００をより正確に位置合わせすることが可能になる。ノブ１３６は回転するように設計されてもよく、このため、ユーザは台車付き担架システム１００をある距離移動又は移動及び回転させた後にノブ１３６を握り直す必要がなくなる。また、再び握り直す必要がないため、台車付き担架システム１００のよりスムーズな操作が可能になる。
【００１９】
ローラ８０をノブ１３６及び押しハンドル１３４の直ぐ下でストレッチャー支持フレーム１３０に取り付けることができる。ローラ８０により、台車付き担架システム１００は、ストレッチャー支持フレーム１３０を他の医療機器又は壁を横切って擦り付けることなく、別の医療機器又は壁に沿って平行移動することが可能になる。ローラ８０は、その名が示すように、ローラ８０を垂直面を横切って移動させるときに回転する。ローラ８０は、圧縮し且つローラと接触する表面を損傷しないゴム又はポリマーから作られてもよい。
【００２０】
サイドレール１３８をストレッチャー支持フレーム１３０の両側に１つずつ取り付けることができる。サイドレール１３８は保護位置から下降位置に移動することができる。保護位置では、サイドレール１３８はストレッチャー１３２の上面６２の実質的に上にある。下降位置では、サイドレール１３８はストレッチャー１３２の上面６２の実質的に下にある。
【００２１】
台車付き担架システム１００は、ＩＶポール１１６をさらに含むことができる。ＩＶポール１１６は、壁５３を画定する長尺状の円筒体から形成することができる。長尺状の円筒体の断面は、円周を画定することができる。ＩＶポール１１６は、一端の近くで、長尺状の円筒体の壁５３を通る長手方向スロット５１を有することができる。ＩＶポール１１６は、作動位置と格納位置とを含み得る。格納位置では、ＩＶポール１１６は水平又はわずかに水平ではない。格納位置から、ＩＶポール１１６は、ＩＶポールピボット点アクスル５２の周りを回転することができる。ＩＶポールピボット点アクスル５２は、ナット及びボルトなどの単純な機械的コネクタによって形成することができる。ＩＶポールピボット点アクスル５２は、ＩＶポール１１６に切り込まれた長手方向スロット５１を通過することができる。ＩＶポールピボット点アクスル５２は、ＩＶポール１１６をＩＶポールベース５４にさらに接続することができる。ＩＶポールピボット点アクスル５２は、ＩＶポールベース５４の円筒壁５５の反対側の穴５７を通過することができる。穴５７及びＩＶポールの長手方向スロット５１は、共通のボアを形成することができる。ＩＶポールベース５４は、押しハンドルベースの切り欠きと同様の切り欠き（図示せず）を含むことができ、これにより、ＩＶポール１１６を格納位置まで回転させることができる。格納位置から、ＩＶポール１１６は、ＩＶポール１１６が実質的に垂直になるまでＩＶポールピボット点アクスル５２の周りを回転し、次に垂直方向下向きに平行移動することができ、この際、ＩＶポールピボット点アクスル５２は長手方向スロット５１を通って移動する。垂直移動の終了時、ＩＶポール１１６は作動位置にあり、ＩＶポール１１６はＩＶポールベース５４内に置かれ、その結果、ＩＶポールベース５４の円筒壁５５はＩＶポール１１６がＩＶポールピボット点アクスル５２の周りを回転することを防止する。作動位置から、ＩＶポール１１６は、ＩＶポールピボット点アクスル５２が長手方向スロット５１を反対方向に通過するように垂直に上向きに平行移動され、その後ＩＶポール１１６はＩＶポールピボット点アクスル５２の周りで回転され、格納位置に戻される。格納位置にあるとき、ＩＶポールピボット点アクスル５２と反対側のＩＶポール１１６の端部は、ストレージフック（図示せず）によって支持される。
【００２２】
図２及び４にさらに示されるように、台車付き担架システム１００は医療ガスホルダ１１８を含む。医療ガスホルダ１１８は、医療ガス、例えば酸素を含むボトル又は他の容器（図示せず）を保持するように構成される。
【００２３】
ストレッチャー１３２は、ストレッチャー１３２の各下面に沿って長手方向チャネル２３２に配置された車輪２３０を含むことができる。ストレッチャー１３２が台車付き担架システム１００に載せられると、車輪はストレッチャー支持フレーム１３０に取り付けられた２本の平行レール２３４に載り、それに沿って転動する。レール２３４は、円形断面を画定する管状であってもよく、又は正方形、長方形、三角形、若しくは卵形などの他の断面形状を有してもよい。ストレッチャー１３２が台車付き担架システム１００に載せられると、連続する車輪２３０がレール２３４に接触し、ストレッチャー１３２が台車付き担架システム１００に完全に載せられるまでレール２３４に沿って転動する。
【００２４】
さらに、図７及び図８に示すように、ストレッチャーが台車付き担架システム１００に載せられると、システム１００は、ストレッチャー１３２を台車付き担架システム１００にしっかりと取り付けるためのロック装置３０を含むことができる。ロック装置３０は、ストレッチャー１３２とストレッチャー支持フレーム１３０との間のインターフェース３４を含むことができる。例えば、ストレッチャー支持フレーム１３０は、２つの平行なフランジ３２を有することができる。図８に示されるように、フランジ３２の長手方向軸に垂直に配置されたピン３５は、フランジ３２の両方を通る穴３４によって形成された共通のボアと整列される。ストレッチャー解放ラッチ３６は、ピボット３８の周りでフランジ３２の少なくとも１つに取り付けられてもよい。ピボット３８は、ナット及びボルトの組み合わせなど、単純な機械的接続によって作られてもよい。ストレッチャー解放ラッチ３６は、解放位置から係合位置までピボット３８の周りを回転することができる。図７に示すように、解放位置では、ストレッチャー解放ラッチ３６は垂直であり、ストレッチャー１３２がストレッチャー支持フレーム１３０に対して自由に移動できるように、ストレッチャー１３２に物理的に全く接続されない。図８に示すように、係合位置では、ストレッチャー解放ラッチ３６は、ストレッチャー１３２から延び且つストレッチャー１３２に取り付けられた舌部３５の一部を取り囲むことができる。舌部３５は、ストレッチャー１３２のフレームから延びて、ストレッチャー１３２が台車付き担架システム１００に完全に載せられると舌部３５がフランジ３２の間に置かれるように配置される。舌部３５は、フランジ３２の穴３４と整列する開口部３７をさらに含むことができる。穴３４及び開口部３７はピン３３が通ることができる共通のボアを形成し、ストレッチャー１３２をストレッチャー支持フレーム１３０に効果的にロックすることができる。
【００２５】
図１及び５で最もよく見ることができるように、システムはさらにバッテリ室１５０を含むことができる。バッテリ１５２は、システムの電気部品に電力を供給する。
電気システム２００は、図６の配線図に示されている。例示的な電気システムは、バッテリ１５２、バッテリモニタ２１０、コントローラ１５６、２本の電気作動式伸縮支柱１２０、ブレーキのコントローラ１５８、複数のキャスター１１２のそれぞれのための電気作動式ブレーキ１１５、電気作動式の第５の車輪１１４、インラインコントローラ、ハンドセット２２０、及び電気部品を操作するための２つのフットスイッチを含む。
【００２６】
バッテリ１５２は取り外し可能である。例えば、バッテリ１５２のプラグは充電のために台車付き担架システム１００から抜かれてもよい。この目的のために、バッテリ１５２は、バッテリ電力を電気システム２００に渡すためにコード接続２０２を含むことができる。
【００２７】
あるいは、又はさらに、電気システム２００は、バッテリ１５２を取り外す必要なく再充電可能なバッテリ１５２を含むことができる。電気システム２００は、標準の交流コンセント（図示せず）に直接差し込むことができる有線コード（図示せず）を含むことができる。コードは、バッテリ１５２を再充電するために使用されないとき、台車付き担架システム１００に格納されてもよい。あるいは、電気システム２００は取り外し可能なコード２０４を含んでもよく、取り外し可能なコード２０４は、バッテリ１５２を再充電することができる交流コンセントを含む電源に差し込むことができ、且つ再充電のためにバッテリ１５２に直接又は間接的に接続することができる。
【００２８】
ユーザは、バッテリモニタ２１０を介してバッテリ１５２に残っている充電量を監視することができる。バッテリモニタ２１０は、電気システム２００のワイヤ２０８を介してバッテリ１５２に電気的に接続することができる。バッテリモニタ２１０は、以下により詳細に説明されるハンドセット２２０に配置することができる、又は、台車付き担架システム１００の他の場所、例えば、バッテリ室１５０上若しくはその近くに配置することができる。バッテリモニタ２１０は、一連の発光ダイオード（ＬＥＤ）ライト２１２又はディスプレイを含んでもよい。バッテリモニタ２１０は、充電残量の印刷されたインジケータ（図示せず）の隣にあってもよい。バッテリモニタ２１０がディスプレイである場合、ディスプレイは、純粋にグラフィカルなコンテンツ又は純粋にテキストベースのコンテンツ、又はグラフィックスとテキストベースのコンテンツとの組み合わせのいずれかを表示する。ＬＥＤライト２１２が使用されるとき、各ライト又はライトの組み合わせが、特定の充電レベルに関連付けられてもよい。例えば、４つのＬＥＤライト２１２があってもよい。４つ全てのＬＥＤライト２１２が点灯している場合、それは完全に充電されたバッテリ１５２を示すことができる。３つのＬＥＤライト２１２が点灯している場合、７５％のバッテリ充電レベルを示すことができ、２つの点灯したＬＥＤライト２１２は、５０％の充電レベルを示すことができ、１つの点灯したＬＥＤライト２１２は、２５％の充電レベルを示すことができる。４つのＬＥＤライト２１２が一例として使用されているが、異なるレベルのバッテリ充電を示す他の数のＬＥＤライト２１２も考えられる。例えば、２つの緑及び１つのアンバー又は黄色のＬＥＤライトを含む３つのＬＥＤライト２１２が使用されてもよい。２つの点灯した緑色のＬＥＤライト２１２は、バッテリの充電レベルを７５％以上として示し、１つの点灯した緑色ＬＥＤライト２１２は７５％〜５０％の充電レベルを示し、１つの点灯したアンバー／黄色ＬＥＤライト２１２は５０％未満の充電レベルを示す。あるいは、バッテリモニタ１５２は、より正確な充電レベルを提供してもよい。例えば、バッテリモニタ１５２は、パーセンテージとして表される充電レベルのデジタル読み出しを有する。
【００２９】
電気作動式伸縮支柱１２０は、複数のセクション１２２、１２４、１２６を含むことができる。例えば、電気作動式伸縮支柱は、３つのセクション１２２、１２４、１２６を含む。各セクションは、中空円筒形状を有することができる。セクションは、連続する各セクションが前のセクションの内径よりも小さい外径を有するようにサイズ決めされてもよい。各伸縮支柱セクションは、その前のセクションにスライド式に係合することができ、作動すると、次のセクションが前のセクションの上端から連続して伸縮式に延びる。第１の最大直径セクション１２２は、下端で台車付き担架シャーシに取り付けられてもよい。最小直径の第３セクション１２６は、上端でストレッチャー支持フレーム１３０に取り付けることができる。第２の伸縮支柱セクション１２４は、第１の伸縮支柱セクション１２２と第３の伸縮支柱セクション１２６との両方に取り付けることができる。３つのセクションの電気作動式支柱が本明細書において記載されているが、２つのみのセクションの支柱、同様に４つ以上のセクションの支柱も考えられる。
【００３０】
各電気作動式伸縮支柱１２０は、少なくとも１つの電気リニアアクチュエータ（図示せず）を含むことができる。電気作動式伸縮支柱１２０の最小直径セクション１２６は、電気リニアアクチュエータよりも大きい直径を有することができ、電気リニアアクチュエータは、電気作動式伸縮支柱１２０上の最小セクション１２６の内部に取り付けられてもよい。あるいは、第１のセクション１２２から第２のセクション１２４を延ばす第１の電気リニアアクチュエータと、第２のセクション１２４から第３のセクション１２６を延ばす第２の電気リニアアクチュエータとがあってもよい。電気リニアアクチュエータは動作が非常に滑らかである。対照的に、油圧作動式の支柱は、電気作動式支柱１２０のような連続的な動きではなく、動力と運動の脈動（ｐｕｌｓｅ）で動作する。脈動状の動きにより、油圧式に動力を供給される台車付き担架システム上の患者は、患者が脈動によって跳ね返されるときに痛みを感じることがある。電気作動式台車付き担架システム１００の滑らかな動きは、この痛みの原因をほとんど取り除く。電気リニアアクチュエータが２つ以上ある場合、コントローラ２３０は、１つ又は複数の電気作動式支柱１２０の動きに時間差がないように、１つの電気リニアアクチュエータから別の電気リニアアクチュエータにバッテリ電力を移行させることができる。
【００３１】
図７に示すように、台車付き担架システム１００は、ストレッチャー１３２を台車付き担架システム１００に載せる又は降ろす駆動装置２０を含むことができる。駆動装置２０は、患者を台車付き担架システム１００から高圧室（図示せず）などの別の医療装置などに移送するときに有用である。載せる又は降ろすための駆動装置２０は、ストレッチャー１３２上にナット又はネジ付きカラー（図示せず）を含むことができる。ナット又はネジ付きカラーは、台車付き担架システム１００上のネジ付き駆動シャフト２２とインターフェースすることができる。ストレッチャー上のネジ付きカラー（図示せず）はネジ付き駆動シャフト２２の第１の端部２４の上を通過することができる。ネジ付き駆動シャフト２２の第２のすなわち反対側の端部２６は、ネジ付き駆動シャフト２２を回転させる駆動モータ２８に取り付けることができる。モータ２８は、モータの１分あたりの回転数を変更する歯車装置（図示せず）を含むことができ、これにより、モータの１分あたりの最大回転数又は最小回転数をシフトアップ又はシフトダウンすることができる。モータは、ハンドセット２２０から制御されてもよいし、又は異なる制御セットから制御されてもよい。駆動モータ２８は、バッテリ１５２によって動力を供給されてもよい。
【００３２】
第５の車輪１１４とも呼ばれる電気作動式車輪は、複数のキャスター１１２と協調して動作することができる。電気作動式車輪１１４は、複数のキャスター１１２のほぼ中央に配置され、台車付き担架シャーシ１１０に取り付けられる。図３及び６で見られるように、電気リニアアクチュエータ１６３は、第５の車輪１１４を上げ下げすることができる。電気作動式車輪１１４が持ち上げられると、それは格納位置にあり、台車付き担架システム１００の動作に関与しない。電気作動式車輪１１４が下げられると、それは作動位置に置かれ、この位置で電気作動式車輪１１４は台車付き担架システム１００の転回安定性を支援する。
【００３３】
台車付き担架システム１００は、台車付き担架システム１００の電気作動機能の多くのユーザインターフェースを提供し得るハンドセット２２０をさらに含む。ハンドセット２２０は、有線又は無線接続を介してコントローラを介して電気システム２００の他の構成要素と接続される。２つ以上のコントローラがあってもよい。例えば、キャスター１１２上の電気ブレーキ１１５のためだけの専用コントローラ１５８と、他の全ての電気部品のための別個のコントローラ１５６とが存在する。
【００３４】
図９に示すように、ハンドセット２２０は、ハウジング２５０を含む。ハンドセット２２０は、バッテリ１５２がハンドセット２２０に電力を供給しているかどうかを示すＬＥＤインジケータライト２２５も含む。ハウジング２５０の一方の側にハンドセットは台車付き担架システム１００の電気作動機能を制御するための少なくとも１つのボタン２５２を含む。例えば、ハンドセット２２０は、電気作動式伸縮支柱１２０中の電気リニアアクチュエータを操作することによって、台車付き担架システム１００、具体的にはストレッチャー支持フレーム１３０及びその上に取り付けられたストレッチャー１３２の高さを上げるためのボタン２５４と、下げるためのボタン２５６とを含む。あるいは、ハンドセット２２０は、２つの領域を備えた単一のボタンを含み、１つの領域が、ストレッチャー支持フレーム１３０及びその上に取り付けられたストレッチャー１３２の高さを上げることを制御し、別の領域が下げることを制御する。
【００３５】
ハンドセット２２０は、電気作動式車輪１１４を上昇させるためのボタン２５８、及び下降させるためのボタン２６０を含む。あるいは、ハンドセット２２０は、２つの領域を有する単一のボタンを含む。第１の領域を押すと電気作動式車輪１１４が上昇し、第２の領域を押すと電気作動式車輪１１４が下降する。
【００３６】
ハンドセット２２０は、キャスター１１２のそれぞれのブレーキ１１５をロック解除するための単一のボタンを含むことができる。ボタン２６２の１回目の押下はキャスター１１２をロックし、ボタンの２回目の押下はキャスター１１２のそれぞれのブレーキ１１５をロック解除することができる。逆もまた同様である。ハンドセット２２０は、ブレーキ１１５のロック状態又はロック解除状態を示すために、ハンドセット２２０の面２５１に印刷されたグラフィックと組み合わされたＬＥＤインジケータ２２２、２２４を含むことができる。代替として、ハンドセット２２０は、複数のキャスター１１２のそれぞれのブレーキをロックするためのボタンと、ロック解除するためのボタンとを含むこともできる。
【００３７】
システム機能を制御するボタンに加えて、ハンドセット２２０は、メモリ機能にアクセスするボタン２６６を含んでもよい。メモリ機能は、メモリチップなどの電子ストレージ（図示せず）を含んでもよい。メモリボタン２６６がオンになると、ハンドセット２２０は押されて、所定の時間保持され、電気作動式伸縮支柱１２０の現在位置がメモリに入力される。
【００３８】
代替的又は追加的に、電気作動式車輪付きストレッチャーシステムは、少なくとも１つのフットスイッチを含んでもよい。フットスイッチは、少なくとも１つのペダルからなる。フットスイッチを使用して、電気作動式支柱１２０又は電気作動式車輪１１４を作動させることができる。フットスイッチは、有線又は無線接続を介して電気システム２００の他の構成要素と接続することができる。例えば、図６に示すように、電気作動式車輪付きストレッチャーシステムは、台車付き担架シャーシ１１０に取り付けることができる２つのフットスイッチ２７０を含むことができる。各フットスイッチは２つのペダルを含むことができる。フットスイッチの一方のペダルを使用して、少なくとも１つの電気作動式支柱１２０を上昇させ、他方のペダルを使用して、少なくとも１つの電気作動式支柱１２０を下降させることができる。
【００３９】
上記の説明は、限定ではなく例として与えられている。上記の開示が与えられれば、当業者は、システムの異なる電気部品を配線する様々な方法を含む、本明細書に開示される本発明の範囲及び趣旨内にある変形を考案することができる。さらに、本明細書で開示される実施形態の様々な特徴は、単独で、又は互いに様々な組み合わせで使用することができ、本明細書で説明される特定の組み合わせに限定されることを意図しない。したがって、特許請求の範囲は、例示された実施形態によって限定されるものではない。
【図１】
2020512896.tif 000003
【図２】
2020512896.tif 000004
【図３】
2020512896.tif 000005
【図４】
2020512896.tif 000006
【図５】
2020512896.tif 000007
【図６】
2020512896.tif 000008
【図７】
2020512896.tif 000009
【図８】
2020512896.tif 000010
【図９】
2020512896.tif 000011
【国際調査報告】
2020512896.tif 000012